(57)【要約】【課題】ガスメーター内に浸入した液体（例えば水）を溜めておくタンクを有するとともに、タンク内の液体が凍結した場合であっても安全であり、かつガス流量の計測の精度への影響をより抑制することができるガスメーターを提供する。【解決手段】ガス流入口と、ガス流出口と、計測管と、ガス導入流路と、ガス導出流路と、ガス導入流路の下端部において計測管の流入口の周囲に膨らむように形成された流入側バッファ空間とを有し、ガスメーターの下端には、ガス流入口から浸入した液体を溜めるタンク部６１が取り付けられ、タンク部６１における流入側バッファ空間１０Ｂと接している流入側バッファ接触面６２Ｍには、タンク内空間６１Ｋと、流入側バッファ空間１０Ｂとを連通する連通孔６２Ｂが設けられており、タンク部６１は、タンク内空間６１Ｋに溜められた液体が凍結する際に連通孔６２Ｂの周囲の凍結を遅らせる凍結遅延構造を有している。【選択図】図４
2019164035.tif 000002
【特許請求の範囲】
【請求項１】
ガスが流入するガス流入口と、
流量が計測されたガスが流出されるガス流出口と、
筒状形状を有して前記ガス流入口及び前記ガス流出口よりも下方に配置されて前記ガス流入口から流入したガスの流量を計測するための計測管と、
前記計測管内に流れるガスの流量を計測する制御手段と、
を有するガスメーターであって、
前記ガス流入口から前記計測管の流入口へとガスを導くように下方に向かって延びるガス導入流路と、
前記計測管の流出口から前記ガス流出口へとガスを導くように上方に向かって延びるガス導出流路と、
前記ガス導入流路の下端部において前記計測管の前記流入口の周囲に前記ガス導入流路よりも膨らむように形成された空間である流入側バッファ空間と、
を有し、
前記計測管の下方となる前記ガスメーターの下端には、前記ガス流入口から浸入した液体を溜めるタンク部が取り付けられ、前記タンク部の一部は前記流入側バッファ空間の下方に配置されて前記流入側バッファ空間と接しており、
前記タンク部における前記流入側バッファ空間と接している面である流入側バッファ接触面には、前記タンク部の内部の空間であるタンク内空間と、前記流入側バッファ空間と、を連通する連通孔が設けられており、
前記タンク部は、前記タンク内空間に溜められた液体が凍結する際に前記連通孔の周囲の凍結を遅らせる凍結遅延構造を有している、
ガスメーター。
【請求項２】
請求項１に記載のガスメーターであって、
前記凍結遅延構造は、
前記タンク部における前記連通孔よりも前記ガス流出口の側の少なくとも一部が、前記連通孔からの距離に応じて前記タンク内空間の底部が高くなるように形成された底部形状、あるいは、前記タンク部における前記連通孔よりも前記ガス流出口の側の少なくとも一部が、前記連通孔からの距離に応じて前記タンク内空間の横幅が狭くなるように形成された横幅形状、の少なくとも一方の形状である、
ガスメーター。
【請求項３】
請求項１または２に記載のガスメーターであって、
前記タンク部は金属で形成されており、
前記流入側バッファ接触面の少なくとも一部は、前記タンク部を形成している前記金属とは異なる材質にて形成されたタンク蓋部とされており、当該タンク蓋部には前記連通孔が設けられており、
前記凍結遅延構造は、
前記タンク部を形成している前記金属よりも熱伝導率が低い材質にて形成された前記タンク蓋部である、
ガスメーター。
【請求項４】
請求項３に記載のガスメーターであって、
前記タンク蓋部は、前記タンク部を形成している前記金属よりも強度が低い材質、あるいは弾性体、にて形成されている、
ガスメーター。
【発明の詳細な説明】
【技術分野】
【０００１】
本発明は、ガスメーターに関する。
【背景技術】
【０００２】
近年のガスメーターには、超音波を用いてガスの流量を計測するガスメーターが有る。当該ガスメーターでは、断面積が所定面積に設定されたガス流路を有する筒状の計測管の内部にて超音波を送受信して、ガスの流速を測定し、断面積とガスの流速を用いてガスの流量を計測している。例えば都市ガス用のガスメーターでは、ガス流入口とガス流出口がガスメーターの上方に配置され、計測管がガスメーター内における下方にほぼ水平に配置されている。ガス流入口からガスメーター内に流入したガスは、下方の計測管へと導かれ、ほぼ水平に配置された計測管内を通過して、上方のガス流出口へと導かれる。
【０００３】
なお、非常に稀なケースとして、地震や水道管の破裂等が発生した際、ガスメーターが接続されるガス管内に水が浸入し、ガスとともに水がガスメーター内に流入する場合がある。ガスメーター内に水が流入して計測管の下方が浸水した場合、計測管内におけるガス流路が狭くなり（すなわち、断面積が小さくなり）、正確なガス流量を計測できなくなる可能性がある。
【０００４】
そこで特許文献１には、ガスメーター内におけるほぼ中央部かつ計測管の上方に、流入した水を溜める貯水部（貯水部用蓋にて開口側面が密閉された貯水部）を有するガスメーターが開示されている。特許文献１に記載のガスメーターは、ガス流入口から計測管へと下方に延びるガス通路に対して、ガス通路と貯水部とを連通するように水平方向に延びる導水孔を有し、ガス流入口から流入した水を、導水孔を経由させて貯水部へと導いている。なお、貯水部に溜められた水は、日々の蒸発によって徐々に減少していく。
【先行技術文献】
【特許文献】
【０００５】
【特許文献１】特許第５８７６１１８号公報
【発明の概要】
【発明が解決しようとする課題】
【０００６】
一般的に、ガスメーターは屋外に配置されている。従って、気温の低い季節や寒冷地等では、氷点下の温度にさらされる場合がある。このような場合、ガスメーター内に水を溜めていると、溜めている水が凍結する場合がある。当然であるが、水が凍結して氷になると体積が膨張する。
【０００７】
特許文献１に記載されたガスメーターでは、貯水部内に溜めた水が凍結した場合、体積が膨張した氷によって、貯水部用蓋や貯水部に割れ等の破損が発生する可能性がある。貯水部用蓋や貯水部に割れ等の破損が発生した場合、ガス流入口から流入したガスが、計測管を通過することなく、破損した貯水部や貯水部用蓋を経由してガス流出口へと至る場合があるので、好ましくない。
【０００８】
また、特許文献１に記載されたガスメーターには、ガス流入口から計測管へとガスを導くガス通路に、ガスメーター内に流入した水を貯水部に導く導水孔が追加されている。従って、ガス通路に浸入した水を計測管に導くことなく導水孔に導くための構造が必要となり、ガスメーターの構造が複雑化する。また導水孔は、浸入した水だけでなくガス通路に流入したガスの一部も貯水部に導くものと考えられる。従って、導水孔を追加することは、ガス通路内におけるガスの流れに影響を及ぼすので、ガス流量の計測の精度に影響を及ぼす可能性がある。
【０００９】
本発明は、このような点に鑑みて創案されたものであり、ガスメーター内に浸入した液体（例えば水）を溜めておくタンクを有するとともに、タンク内の液体が凍結した場合であっても安全であり、かつガス流量の計測の精度への影響をより抑制することができるガスメーターを提供することを課題とする。
【課題を解決するための手段】
【００１０】
上記課題を解決するため、本発明の第１の発明は、ガスが流入するガス流入口と、流量が計測されたガスが流出されるガス流出口と、筒状形状を有して前記ガス流入口及び前記ガス流出口よりも下方に配置されて前記ガス流入口から流入したガスの流量を計測するための計測管と、前記計測管内に流れるガスの流量を計測する制御手段と、を有するガスメーターであって、前記ガス流入口から前記計測管の流入口へとガスを導くように下方に向かって延びるガス導入流路と、前記計測管の流出口から前記ガス流出口へとガスを導くように上方に向かって延びるガス導出流路と、前記ガス導入流路の下端部において前記計測管の前記流入口の周囲に前記ガス導入流路よりも膨らむように形成された空間である流入側バッファ空間と、を有する。そして、前記計測管の下方となる前記ガスメーターの下端には、前記ガス流入口から浸入した液体を溜めるタンク部が取り付けられ、前記タンク部の一部は前記流入側バッファ空間の下方に配置されて前記流入側バッファ空間と接しており、前記タンク部における前記流入側バッファ空間と接している面である流入側バッファ接触面には、前記タンク部の内部の空間であるタンク内空間と、前記流入側バッファ空間と、を連通する連通孔が設けられており、前記タンク部は、前記タンク内空間に溜められた液体が凍結する際に前記連通孔の周囲の凍結を遅らせる凍結遅延構造を有している、ガスメーターである。
【００１１】
次に、本発明の第２の発明は、上記第１の発明に係るガスメーターであって、前記凍結遅延構造は、前記タンク部における前記連通孔よりも前記ガス流出口の側の少なくとも一部が、前記連通孔からの距離に応じて前記タンク内空間の底部が高くなるように形成された底部形状、あるいは、前記タンク部における前記連通孔よりも前記ガス流出口の側の少なくとも一部が、前記連通孔からの距離に応じて前記タンク内空間の横幅が狭くなるように形成された横幅形状、の少なくとも一方の形状である、ガスメーターである。
【００１２】
次に、本発明の第３の発明は、上記第１の発明または第２の発明に係るガスメーターであって、前記タンク部は金属で形成されており、前記流入側バッファ接触面の少なくとも一部は、前記タンク部を形成している前記金属とは異なる材質にて形成されたタンク蓋部とされており、当該タンク蓋部には前記連通孔が設けられており、前記凍結遅延構造は、前記タンク部を形成している前記金属よりも熱伝導率が低い材質にて形成された前記タンク蓋部である、ガスメーターである。
【００１３】
次に、本発明の第４の発明は、上記第３の発明に係るガスメーターであって、前記タンク蓋部は、前記タンク部を形成している前記金属よりも強度が低い材質、あるいは弾性体、にて形成されている、ガスメーターである。
【発明の効果】
【００１４】
第１の発明によれば、凍結遅延構造を有するタンク部を、計測管の下方となるガスメーターの下端に配置し、タンク内空間に溜められた液体の凍結が進行していく際、連通孔の周囲を最後に凍結させる。つまり、タンク内空間の液体が、体積を膨張させながら凍結していく際、仮にタンク内空間から溢れる液体が発生しても連通孔から流出できるので、タンク部の破損を防止することができる。従って、タンク部内の液体が凍結した場合であっても安全であり、かつガス流量の計測の精度への影響をより抑制することができるガスメーターを実現できる。
【００１５】
第２の発明によれば、タンク部における連通孔よりもガス流出口の側の少なくとも一部が、連通孔からの距離に応じて底部が高くなるタンク内空間の底部形状、あるいはタンク部における連通孔よりもガス流出口の側の少なくとも一部が、連通孔からの距離に応じて横幅が狭くなるタンク内空間の横幅形状、の少なくとも一方の形状を有することで、凍結遅延構造を、容易かつ適切に実現することができる。
【００１６】
第３の発明によれば、タンク部における流入側バッファ接触面の少なくとも一部は、連通孔が設けられたタンク蓋部とされている。そしてタンク蓋部の材質は、タンク部を形成している金属よりも熱伝導率が低い材質とされている。これにより、タンク内空間の液体が、体積を膨張させながら凍結していく際、仮にタンク内空間から溢れる液体が発生しても、タンク蓋部の連通孔から流出できる（熱伝導率が低いタンク蓋部が最後に凍結するため）。従って、タンク部内の液体が凍結した場合であっても安全であり、かつガス流量の計測の精度への影響をより抑制することができるガスメーターを実現できる。
【００１７】
第４の発明によれば、タンク蓋部の材質は、タンク部を形成する金属よりも強度が低い材質、かつ弾性を有する材質、にて形成されている。従って、仮に、連通孔が最後に凍結せずに凍結の途中において連通孔が塞がれた場合に、膨張した体積によってタンク蓋部が流入側バッファ空間の側に膨らんだり破損したりする場合がある。しかし、仮に、タンク部内の液体が凍結してタンク蓋部に前記膨らみや前記破損が発生しても、タンク蓋部が流入側バッファ空間内で膨らんだり破損するだけであるので、安全であり、かつガス流量の計測の精度への影響をより抑制することができる。
【図面の簡単な説明】
【００１８】
【図１】ガスメーターの概略外観を示す正面図である。
【図２】ガスメーターの概略外観を示す上面図である。
【図３】ガスメーターの分解斜視図である。
【図４】図２におけるＩＶ−ＩＶ断面図である。
【図５】図４におけるＶ−Ｖ断面図である。
【図６】図４におけるＶＩ−ＶＩ断面図である。
【図７】タンク部の外観を説明する斜視図である。
【図８】図７におけるＶＩＩＩ−ＶＩＩＩ断面図である。
【図９】タンク本体の上面図である。
【発明を実施するための形態】
【００１９】
以下に本発明を実施するための形態を図面を用いて説明する。図中にＸ軸、Ｙ軸、Ｚ軸の記載がある場合、Ｘ軸とＹ軸とＺ軸は互いに直交しており、Ｚ軸方向は鉛直上方を示し、Ｘ軸方向はガスメーター１における右方向を示し、Ｙ軸方向はガスメーター１における奥行き方向を示している。
【００２０】
●［ガスメーター１の外観（図１、図２）］
図１及び図２を用いて、本実施の形態のガスメーター１の外観を説明する。図１はガスメーター１の正面図を示しており、図２はガスメーター１の上面図（平面図）を示している。図１及び図２に示すように、ガスメーター１の正面には、計測したガスの流量の積算値等を表示する表示手段４１（ＬＣＤ等）、異常検出によって遮断弁３４にてガスを遮断した状態からの復帰を行う復帰ボタン４２等が設けられている。ガスメーター１は、略矩形の箱状であり、ガスが流入するガス流入口１１と、ガスが流出するガス流出口１２とが、同一方向に配置されて、筒状の略Ｕ字型の流路（図４参照）を備えた流路部材１０が、一体成形品で形成されており、当該流路部材１０は、ガスメーター１の外観において、上面と右側面と左側面を有している。そして流路部材１０の正面側に正面パネル部材４０が取り付けられている。また、ガスメーター１の下方には、ガスメーター１内に浸入した水等の液体を溜めるタンクユニット６０が取り付けられている。尚、ガスは、例えば、都市ガス、ＬＰガス等である。
【００２１】
●［ガスメーター１の構造（図３〜図６）］
次に、図３〜図６を用いてガスメーター１の構造について説明する。図３はガスメーター１の分解斜視図を示している。また、図４は図２におけるＩＶ−ＩＶ断面図（電源パック３２等は省略）の例を示しており、図５は図４におけるＶ−Ｖ断面図の例を示しており、図６は図４におけるＶＩ−ＶＩ断面図の例を示している。
【００２２】
図３に示すように、ガスメーター１は、流路部材１０、正面パネル部材４０、制御基板３３、電源パック３２、圧力センサ３１、超音波伝播手段２３Ａ、２３Ｂ、遮断弁３４、計測管２２、タンク上部６２、タンク本体６３、タンクカバー６４等を有している。
【００２３】
流路部材１０は、例えばアルミダイカストにて一体成形されており、図４に示すように、ガス流入口１１、ガス導入流路１０Ａ、流入側バッファ空間１０Ｂ、ガス計測流路１０Ｃ、流出側バッファ空間１０Ｄ、ガス導出流路１０Ｅ等を有し、略Ｕ字型のガス流路を形成している。そして略Ｕ字型の底辺部となるガス計測流路１０Ｃの下方は、計測管２２を取り付けるために開口されている。また流路部材１０の中央周辺には、制御基板３３や電源パック３２等を収容するための前方側に開放された空間部Ｋが形成されている。また流路部材１０には、圧力センサ３１が取り付けられる取付部（図示省略）、遮断弁３４が取り付けられる取付部（図示省略）等が形成されている。
【００２４】
ガスが流入するガス流入口１１と、流量が計測されたガスが流出されるガス流出口１２は、流路部材１０の上方に設けられている。ガス導入流路１０Ａは、ガス流入口１１から計測管２２の流入口へとガスを導くように下方に向かって延びるように形成された流路である。流入側バッファ空間１０Ｂは、ガス導入流路１０Ａの下端部における計測管２２の流入口の周囲において、ガス導入流路１０Ａよりも膨らむように（膨張したように）形成された空間である。ガス計測流路１０Ｃは、ガスの流量を計測するための計測管２２が配置される流路である。流出側バッファ空間１０Ｄは、ガス導出流路１０Ｅの下端部における計測管２２の流出口の周囲において、ガス導出流路１０Ｅよりも膨らむように（膨張したように）形成された空間である。ガス導出流路１０Ｅは、計測管２２の流出口からガス流出口１２へとガスを導くように上方に向かって延びるように形成された流路である。
【００２５】
正面パネル部材４０は、例えば樹脂等にて形成されて、図１に示すように表示手段４１（ＬＣＤ等）や復帰ボタン４２等が設けられたパネル状の部材である。
【００２６】
電源パック３２は、制御基板３３、圧力センサ３１、超音波伝播手段２３Ａ、２３Ｂ、遮断弁３４、表示手段等へ電力を供給する電池を収容している。
【００２７】
計測管２２は、例えば樹脂等にて形成されて筒状形状を有しており、ガス計測流路１０Ｃ内に配置されることで、ガス流入口１１及びガス流出口１２よりも下方に配置されている。そして計測管２２は、ガスが通過する断面が略矩形（長方形状）に形成された導通路２５（図５参照）を有し、導通路２５には、複数の整流板２４が配置されている。そして図５に示すように、一対の超音波伝播手段２３Ａ、２３Ｂ（例えば超音波受発信センサ）が、導通路２５内における上流側と下流側の所定個所に配置され、この２点間において、上流側から超音波を発信して下流側で受信して伝播時間が計測され、下流側から超音波を発信して上流側で受信して伝播時間が計測される。そして、流体の流れ方向に対して超音波伝播手段２３Ａ、２３Ｂが設けられている傾斜角度を「θ」、音速を「Ｃ」、ガスの流速を「Ｕ」、超音波伝播手段２３Ａと２３Ｂの間隔（距離）を「Ｌ」、超音波の伝播時間を「Ｔ１」、「Ｔ２」とした場合、以下の（式１）よりガスの流速を求めることができる。そして、この算出した流速Ｕに導通路２５の断面積（ガスの流れに直交する断面の面積）と流量係数とを積算して流量を算出している。ここで流量係数とは、流体の流量を補正する係数である。
Ｕ＝（Ｌ／２ｃｏｓθ）（（１／Ｔ１）−（１／Ｔ２））    （式１）
【００２８】
圧力センサ３１は、ガス導入流路１０Ａ、流入側バッファ空間１０Ｂ、流出側バッファ空間１０Ｄ、ガス導出流路１０Ｅ、のいずれかの流路内（または空間内）のガスの圧力に応じた検出信号を、制御基板３３の制御手段３３Ａに出力する。遮断弁３４は、制御基板３３の制御手段３３Ａからの制御信号に基づいて、ガス導入流路１０Ａを開口状態または閉鎖状態にする。制御手段３３Ａは、異常を検出した場合、遮断弁３４を用いてガス導入流路１０Ａを閉鎖状態にして、ガス流出口１２にガスが流れないようにする。
【００２９】
制御基板３３は、ＣＰＵ等の制御手段３３Ａが搭載された電子回路基板であり、電源パック３２、超音波伝播手段２３Ａ、２３Ｂ、圧力センサ３１、遮断弁３４、表示手段４１、復帰ボタン４２等が接続されている。制御手段３３Ａは、上述したように、超音波伝播手段２３Ａ、２３Ｂを用いて、計測管２２内を流れるガスの流速を計測し、計測管２２内に流れるガスの流量を求める。また制御手段３３Ａは、圧力センサ３１からの検出信号に基づいて検出したガスの圧力等に基づいて、遮断弁３４の開閉制御を行う。
【００３０】
タンク上部６２は、タンク本体６３と一体化されてタンク部６１を構成している。タンク上部６２とタンク本体６３は、例えばアルミダイカスト等の金属にて形成されている。タンク本体６３は、上面が開口した箱状の部材であり、タンク上部６２は、タンク本体６３における開口した上面を塞ぐ部材である。タンク部６１は、計測管２２の下方となるガスメーター１の下端に取り付けられて、流路部材１０における下方の開口部の蓋となる。従って、タンク部６１の一部は、流入側バッファ空間１０Ｂの下方に配置されて流入側バッファ空間１０Ｂと接している。そしてタンク部６１における流入側バッファ空間１０Ｂと接している面である流入側バッファ接触面６２Ｍには、タンク部６１の内部の空間であるタンク内空間６１Ｋと、流入側バッファ空間１０Ｂと、を連通する連通孔６２Ｂが設けられている。なお、タンク上部６２には、超音波伝播手段２３Ａ、２３Ｂが取り付けられている。
【００３１】
タンク上部６２における流入側バッファ接触面６２Ｍの少なくとも一部には、図４及び図５に示すように、タンク上部６２とは別部材とされたタンク蓋部６２Ａとされており、タンク蓋部６２Ａに連通孔６２Ｂが設けられている。タンク蓋部６２Ａは、タンク上部６２及びタンク本体６３の材質である金属よりも熱伝導率が低い材質にて形成されている。そしてタンク蓋部６２Ａは、例えば樹脂等、タンク上部６２及びタンク本体６３の材質である金属よりも強度が低い材質、あるいは弾性を有する材質、にて形成されている。また、タンクカバー６４は、例えば樹脂等にて形成されている。なお、タンク上部６２とタンク本体６３にてタンク部６１が構成され、タンク部６１とタンクカバー６４にてタンクユニット６０が構成されている。
【００３２】
●［ガスメーター１の組み付け手順（図３）］
次に図３を用いて、ガスメーター１の組み付け手順について説明する。まず、流路部材１０を、ガス流入口１１及びガス流出口１２が上面となるように配置し、流路部材１０の底面の開口部に、計測管２２及び超音波伝播手段２３Ａ、２３Ｂを組み付けたタンク上部６２を下方から組み付け、タンク上部６２の下面にタンク本体６３を組み付けて、流路部材１０の底面の開口部を密封する（蓋をする）。
【００３３】
次に、流路部材１０の正面側から、遮断弁３４を組み付ける。次に、流路部材１０の正面側から、流路部材１０の中央周辺に設けられた空間部Ｋに電源パック３２を組み付ける。そして、正面側に圧力センサ３１を組み付ける。次に、流路部材１０の正面側から制御基板３３を組み付ける。制御基板３３は、ＣＰＵ等の制御手段３３Ａを備えている。そして制御基板３３に、電源パック３２、遮断弁３４、圧力センサ３１、超音波伝播手段２３Ａ、２３Ｂを、配線等にて接続する。また、正面パネル部材４０の表示手段４１、復帰ボタン４２を、配線等にて制御基板３３に接続して、流路部材１０の正面側から正面パネル部材４０を組み付ける。そして、タンク本体６３を覆うようにタンクカバー６４を組み付ける。以上の組み付けにより、略箱型のガスメーター１が完成する。なお、密閉性を向上させるために種々の部材の間にシール部材を挟んでいるが、当該シール部材については、図示省略している。なお、組み付けられたガスメーター１からタンクカバー６４を取り外せば、タンク本体６３やタンク上部６２の交換を行うことも容易である（図３、図４参照）。
【００３４】
●［タンク部６１の構造（図７〜図９）］
次に図７〜図９を用いて、タンク上部６２とタンク本体６３とで構成されたタンク部６１の構造の詳細について説明する。図７はタンク部６１の斜視図を示しており、図８は図７におけるＶＩＩＩ−ＶＩＩＩ断面図を示し、図９はタンク本体６３の平面図（上面図）を示している。なお、タンク内空間６１Ｋ内に溜められる液体は、例えば水である。図４に示すように、ガス流入口１１からガスメーター１内に浸入した液体（例えば水）は、ガス導入流路１０Ａ、流入側バッファ空間１０Ｂ、連通孔６２Ｂを経由してタンク部６１のタンク内空間６１Ｋ内に溜められる。そしてタンク内空間６１Ｋに溜められた液体は、日々の蒸発によって徐々に減少していく。
【００３５】
なお、上述したように、一般的にガスメーター１は屋外に配置されているので、気温の低い季節や寒冷地等では、氷点下の温度にさらされる場合がある。このような場合では、タンク内空間６１Ｋ内に溜められた液体が凍結して体積を膨張させ、タンク部６１を破損させる可能性が考えられる。本実施の形態にて説明するガスメーターは、以下に説明するように、タンク内空間６１Ｋに溜められた液体が凍結する際に、連通孔６２Ｂの周囲の凍結を遅らせる（凍結が徐々に進行する際、連通孔６２Ｂの周囲をほぼ最後に凍結させる）凍結遅延構造を有する。これにより、タンク内空間６１Ｋ内に溜められた液体が凍結しても、タンク部６１が破損することを適切に防止することができる。
【００３６】
［凍結遅延構造の例１（図８）］
図８に示すように、凍結遅延構造の例１では、タンク部６１における連通孔６２Ｂよりもガス流出口１２（図４参照）の側（Ｘ軸方向の側）の少なくとも一部が、連通孔６２Ｂからの距離に応じてタンク内空間６１Ｋの底部６１Ｂが高くなるように、底部６１Ｂには角度θ１の傾斜が設けられた底部形状（凍結遅延構造に相当）とされている。なお、図８に示す例では、底部６１Ｂが徐々に高くなる例を示しているが、段階的に高くなるように構成してもよい。これにより、タンク内空間６１Ｋ内（タンク部６１内）に溜められた液体の深さは、連通孔６２Ｂの下方の深さＤ１が最も深く、連通孔６２Ｂよりもガス流出口１２（図４参照）の側の少なくとも一部が、連通孔６２Ｂからの距離に応じて深さＤ２は浅くなる。従って、金属で形成されたタンク本体６３及びタンク上部６２が外気にて冷却されて、タンク内空間６１Ｋ内の液体が凍結する場合、連通孔６２Ｂから最も離れた、液体の深さが最も浅い位置から凍結が始まり、液体の深さが最も深い連通孔６２Ｂの周囲は、ほぼ最後に凍結する。従って、タンク内空間６１Ｋ内の液体が、体積を膨張させながら凍結を進めていった場合、体積がタンク内空間６１Ｋの容積よりも大きくなっても、連通孔６２Ｂから液体をあふれ出させながら凍結していくので、タンク部６１の破損を防止することができる。従って、タンク部内の液体が凍結した場合であっても安全であり、かつガス流量の計測の精度への影響をより抑制することができる。なお、この凍結遅延構造の例１では、連通孔６２Ｂは必須であるが、タンク蓋部６２Ａがタンク上部６２と別体とされていることは必須ではない。
【００３７】
［凍結遅延構造の例２（図９）］
図９に示すように、凍結遅延構造の例２では、タンク部６１における連通孔６２Ｂよりもガス流出口１２（図４参照）の側（Ｘ軸方向の側）の少なくとも一部が、連通孔６２Ｂからの距離に応じてタンク内空間６１Ｋの横幅が狭くなるような横幅形状（凍結遅延構造に相当）とされている。なお、図９に示す例では、連通孔６２Ｂに近い領域Ａ１では段階的に横幅が狭くなり、連通孔６２Ｂから遠い領域Ａ２では横幅が徐々に狭くなる例を示している。これにより、タンク内空間６１Ｋ内（タンク部６１内）に溜められた液体の横幅は、連通孔６２Ｂの位置の横幅Ｗ１が最も広く、連通孔６２Ｂよりもガス流出口１２（図４参照）の側の少なくとも一部が、連通孔６２Ｂからの距離に応じて横幅Ｗ２は狭くなる。従って、金属で形成されたタンク本体６３及びタンク上部６２が外気にて冷却されて、タンク内空間６１Ｋ内の液体が凍結する場合、連通孔６２Ｂから最も離れた、液体の横幅が最も狭い位置から凍結が始まり、液体の横幅が最も広い連通孔６２Ｂの周囲は、ほぼ最後に凍結する。従って、タンク内空間６１Ｋ内の液体が、体積を膨張させながら凍結を進めていった場合、体積がタンク内空間６１Ｋの容積よりも大きくなっても、連通孔６２Ｂから液体をあふれ出させながら凍結していくので、タンク部６１の破損を防止することができる。従って、タンク部内の液体が凍結した場合であっても安全であり、かつガス流量の計測の精度への影響をより抑制することができる。なお、この凍結遅延構造の例２では、連通孔６２Ｂは必須であるが、タンク蓋部６２Ａがタンク上部６２と別体とされていることは必須ではない。
【００３８】
［凍結遅延構造の例３］
凍結遅延構造の例２では、タンク蓋部６２Ａが、タンク部６１を形成している金属よりも熱伝導率が低い材質（例えば樹脂）にて形成されたタンク蓋部６２Ａ（凍結遅延構造に相当）とされている。タンク蓋部６２Ａが、タンク部６１を形成している金属よりも熱伝導率が低い材質で形成されていることで、金属で形成されたタンク部６１が外気にて冷却されて、タンク内空間６１Ｋ内の液体が凍結する場合、タンク蓋部６２Ａの周囲（すなわち連通孔６２Ｂの周囲）の液体を、ほぼ最後に凍結させることができる。従って、タンク内空間６１Ｋ内の液体が、体積を膨張させながら凍結を進めていった場合、体積がタンク内空間６１Ｋの容積よりも大きくなっても、連通孔６２Ｂから液体をあふれ出させながら凍結していくので、タンク部６１の破損を防止することができる。従って、タンク部内の液体が凍結した場合であっても安全であり、かつガス流量の計測の精度への影響をより抑制することができる。なお、この凍結遅延構造の例３では、連通孔６２Ｂは必須であり、タンク蓋部６２Ａがタンク上部６２と別体とされていることも必須である。
【００３９】
さらに、タンク蓋部６２Ａを、タンク部６１を形成している金属よりも強度が低い材質（例えば樹脂）で形成すれば、仮に、連通孔６２Ｂの周囲がほぼ最後に凍結したが、連通孔６２Ｂが凍結によって塞がれた後で体積が膨張しても、タンク蓋部６２Ａを破損させることで、タンク部６１の破損を回避することができる。タンク蓋部６２Ａが破損しても、流入側バッファ空間１０Ｂとタンク内空間６１Ｋの境界であるタンク蓋部６２Ａが破損するだけであり、ガスメーター１からガスが漏れることが無く、計測管２２を通過することなくガスがガス流出口１２に至ることも無い。また、タンク蓋部６２Ａを、タンク部６１を形成している金属よりも強度が低い材質で形成する代わりに、弾性体（例えば弾性を有する樹脂）にて形成するようにしてもよい。弾性体でタンク蓋部６２Ａを形成した場合、液体が凍結して体積を膨張させても、タンク蓋部６２Ａが湾曲変形してタンク蓋部６２Ａの破損を回避できる場合がある。従って、タンク部内の液体が凍結した場合であっても安全であり、かつガス流量の計測の精度への影響をより抑制することができる。
【００４０】
上述した凍結遅延構造の例１、凍結遅延構造の例２、凍結遅延構造の例３、の少なくとも１つの凍結遅延構造を有することで、タンク内空間６１Ｋ内に溜められた液体が凍結しても、タンク部６１が破損することを適切に防止することができる。
【００４１】
本発明のガスメーター１は、本実施の形態で説明した外観、構成、構造、形状、組み付け手順等に限定されず、本発明の要旨を変更しない範囲で種々の変更、追加、削除が可能である。例えばガスメーター１の組み付け手順は、本実施の形態にて説明した組み付け手順に限定されるものではない。
【００４２】
流路部材１０、タンク上部６２、タンク本体６３の材質は、アルミダイカストに限定されるものではなく、種々の金属を用いることができる。またタンク蓋部６２Ａの材質は、樹脂に限定されるものではなく、熱伝導率や強度の条件等を満足する材質であればよい。
【符号の説明】
【００４３】
１        ガスメーター
１０      流路部材
１０Ａ    ガス導入流路
１０Ｂ    流入側バッファ空間
１０Ｃ    ガス計測流路
１０Ｄ    流出側バッファ空間
１０Ｅ    ガス導出流路
１１      ガス流入口
１２      ガス流出口
２２      計測管
２３Ａ、２３Ｂ  超音波伝播手段
２４      整流板
２５      導通路
３１      圧力センサ
３２      電源パック
３３      制御基板
３３Ａ    制御手段
３４      遮断弁
４０      正面パネル部材
４１      表示手段
４２      復帰ボタン
５０      背面パネル部材
６０      タンクユニット
６１      タンク部
６１Ｂ    底部
６１Ｋ    タンク内空間
６２      タンク上部
６２Ａ    タンク蓋部
６２Ｂ    連通孔
６２Ｍ    流入側バッファ接触面
６３      タンク本体
６４      タンクカバー
Ｋ        空間部
Ｄ１、Ｄ２    深さ
Ｗ１、Ｗ２    横幅
【図１】
2019164035.tif 000003
【図２】
2019164035.tif 000004
【図３】
2019164035.tif 000005
【図４】
2019164035.tif 000006
【図５】
2019164035.tif 000007
【図６】
2019164035.tif 000008
【図７】
2019164035.tif 000009
【図８】
2019164035.tif 000010
【図９】
2019164035.tif 000011